(57)【要約】【課題】球通路における遊技球の移送性の低下を防止することができる異物排出路を提供する。【解決手段】異物排出路２０は、本体底部３６と該本体底部３６に立設された側壁３２とからなる排出路本体３０の内側に、複数の第１及び第２整流壁４３，４４と案内壁５３を設けて形成されている。第１及び第２整流壁４３，４４における球通路５６の遊技球導入口５６ａ側には、遊技球Ｂの流下方向に沿って本体底部３６側から上り傾斜する第１及び第２傾斜部４３ｂ，４４ｂが形成されている。第１及び第２傾斜部４３ｂ，４４ｂの上部には、同一方向へ向かって下り傾斜するガイド面Ｇが形成されている。【選択図】      図２
2006130069.tif 000002
【特許請求の範囲】
【請求項１】
遊技機が設置された島設備内に設けられ、複数の橋路が間隙をおいて並設された底部と該底部に立設された側壁とからなる排出路本体の内側に複数の仕切壁を設け、隣り合う仕切壁の間に前記橋路が位置するとともに仕切壁と橋路の間に空隙が形成されてなる球通路を複数並設し、前記排出路本体内を流下して前記球通路内に入った異物を前記空隙から排出路本体外へ排出させる構成とした異物排出路であって、
各仕切壁における前記球通路の遊技球導入口側に前記遊技球の流下方向に沿って前記底部側から上り傾斜する傾斜部を形成し、該各傾斜部の上縁に前記仕切壁の厚み方向に向かって同一方向へ下り傾斜するガイド面を形成した異物排出路。
【請求項２】
前記ガイド面は、前記仕切壁の厚みにおいて少なくとも半分以上の厚みを有するように形成されている請求項１に記載の異物排出路。
【請求項３】
前記傾斜部には、前記底部に対して鉛直に立ち上がる球崩し部が遊技球の流下方向下流側に連設され、各球崩し部に前記仕切壁の厚み方向に向かって同一方向へ傾斜する案内面を前記ガイド面に連続させて形成した請求項１又は請求項２に記載の異物排出路。
【請求項４】
前記球崩し部は、隣り合う仕切壁において前記流下方向に沿って前後に位置ずれして配置されている請求項３に記載の異物排出路。
【請求項５】
前記傾斜部は、隣り合う仕切壁において傾斜角度が異なるように形成されている請求項１〜請求項４のうちいずれか一項に記載の異物排出路。
【発明の詳細な説明】
【技術分野】
【０００１】
本発明は、球通路内に入った異物を排出させる構成とした異物排出路に関する。
【背景技術】
【０００２】
パチンコ機が複数設置された島設備内において、各パチンコ機の下方域には排出樋が設けられている。この排出樋は所要の傾斜をなしており、各パチンコ機から排出された遊技球（パチンコ球）を前記傾斜により転動させて、島設備に設置された揚送装置へと移送するためのものである。また、島設備内において、前記排出樋よりも下流位置であり前記揚送装置の直前位置には、排出樋内に流入した硬貨やビス、さらには遊技球に付着した細塵等の異物を排除し揚送装置に流入するのを防ぐための異物排出路が配設されている。この異物排出路としては、例えば特許文献１に記載されるような異物排出路が提案されている。
【０００３】
特許文献１の異物排出路には、複数の球通路が並設されている。各球通路は、遊技球が転動可能な必要最小幅を有する橋路を底面とし、その橋路の両側に側面視略直角三角形状の仕切壁が立設されて形成されている。前記仕切壁の斜辺となる位置には傾斜部が形成されている。この傾斜部は、前記球通路の遊技球の流下方向に直交する断面視が山形状に形成されている。すなわち、傾斜部は、仕切壁をその厚み方向へ二等分する中心線の両側に、傾斜部の上端縁から仕切壁の両壁面に向かって下り傾斜した斜面を備えている。また、各球通路において、隣り合う橋路の間には間隙が形成され、各球通路を形成する両仕切壁の下部は開放形成されて選別路が形成されている。
【０００４】
そして、排出樋から異物排出路へ流下してきた多数の遊技球は、複数の仕切壁の傾斜部によって該仕切壁の両側の球通路へと分流され、各球通路内へと導入されるとともに異物排出路内にて整列される。さらに、傾斜部に乗り上げた遊技球は、傾斜部の斜面によって振分けられる。そして、遊技球は、振分けられた斜面を転動して、乗り上げた仕切壁の両側のうちいずれかの球通路内へ落下する。球通路内へ導入された遊技球は、球通路により整列状態を保ちながら揚送装置へ導入される。また、球通路内に硬貨やビス等の異物が混入した場合には、該異物は、橋路と仕切壁の間に形成される遊間から選別路を通過して異物排出路外へ排出されるようになっている。さらに、遊技球に付着した細塵等は、遊技球が仕切壁に摺接する際に遊技球から落下し、選別路から異物排出路外へ排出されるようになっている。
【特許文献１】実用新案登録第２５６３５６６号公報
【発明の開示】
【発明が解決しようとする課題】
【０００５】
ところで、仕切壁の傾斜部に乗り上げた遊技球が、いずれの斜面を転動して仕切壁両側の球通路のうちのいずれの球通路へ落下するかは、傾斜部上における遊技球のバランスによって決定される。このため、例えば、ある１つの球通路には、その球通路を形成する両仕切壁の傾斜部から遊技球が落下してくる可能性がある。このように、１つの球通路内へその両側から遊技球が落下してくると、落下してきた遊技球同士が接触したり、橋路上を流下する遊技球への接触機会が増加したりしてしまう。その結果、球通路における遊技球の流下速度が低下し、遊技球の移送性能が低下してしまう。
【０００６】
この発明は、このような従来の技術に存在する問題点に着目してなされたものであり、その目的は、球通路における遊技球の移送性の低下を防止することができる異物排出路を提供することにある。
【課題を解決するための手段】
【０００７】
上記問題点を解決するために、請求項１に記載の発明は、遊技機が設置された島設備内に設けられ、複数の橋路が間隙をおいて並設された底部と該底部に立設された側壁とからなる排出路本体の内側に複数の仕切壁を設け、隣り合う仕切壁の間に前記橋路が位置するとともに仕切壁と橋路の間に空隙が形成されてなる球通路を複数並設し、前記排出路本体内を流下して前記球通路内に入った異物を前記空隙から排出路本体外へ排出させる構成とした異物排出路であって、各仕切壁における前記球通路の遊技球導入口側に前記遊技球の流下方向に沿って前記底部側から上り傾斜する傾斜部を形成し、該各傾斜部の上縁に前記仕切壁の厚み方向に向かって同一方向へ下り傾斜するガイド面を形成したことを要旨とする。
【０００８】
請求項２に記載の発明は、請求項１に記載の異物排出路において、前記ガイド面は、前記仕切壁の厚みにおいて少なくとも半分以上の厚みを有するように形成されていることを要旨とする。
【０００９】
請求項３に記載の発明は、請求項１又は請求項２に記載の異物排出路において、前記傾斜部には、前記底部に対して鉛直に立ち上がる球崩し部が遊技球の流下方向下流側に連設され、各球崩し部に前記仕切壁の厚み方向に向かって同一方向へ傾斜する案内面を前記ガイド面に連続させて形成したことを要旨とする。
【００１０】
請求項４に記載の発明は、請求項３に記載の異物排出路において、前記球崩し部は、隣り合う仕切壁において前記流下方向に沿って前後に位置ずれして配置されていることを要旨とする。
【００１１】
請求項５に記載の発明は、請求項１〜請求項４のうちいずれか一項に記載の異物排出路において、前記傾斜部は、隣り合う仕切壁において傾斜角度が異なるように形成されていることを要旨とする。
【発明の効果】
【００１２】
本発明によれば、球通路における遊技球の移送性の低下を防止することができる。
【発明を実施するための最良の形態】
【００１３】
以下、本発明を島設備内に設けられる異物排出路に具体化した一実施形態を図１〜図９にしたがって説明する。
図１に示すように、遊技店（遊技場）に据え付けられた島設備１０には、その設置島台Ｓ上に複数台のパチンコ遊技機（遊技機）Ｐが背面を対向させた状態で列設されている。隣り合うパチンコ遊技機Ｐの間には、硬貨を供することで遊技球を遊技者に貸し出す球貸機Ｎが設置されている。また、島設備１０には、パチンコ遊技機Ｐの列設方向（図１では左右方向）の略中央に、球揚送装置１１が設置されている。この球揚送装置１１は図示しない研磨リフトを介して遊技球を研磨しながら上方へと揚送するものである。さらに、島設備１０には、球揚送装置１１の上方側に、該球揚送装置１１によって揚送された多数の遊技球を貯留可能な島タンク１２が設置されている。また、島設備１０には、前記各パチンコ遊技機Ｐの上方域に、前記島タンク１２内に貯留された遊技球を各パチンコ遊技機Ｐへ分配供給するための球供給樋１４が設けられている。球供給樋１４は、前記球揚送装置１１側を上流端とする斜状態様で球揚送装置１１の左右両側に設けられている。
【００１４】
一方、前記島設備１０内における各パチンコ遊技機Ｐの下方域には、各パチンコ遊技機Ｐから排出された遊技球（例えばアウト球等）を受け入れ転動移送させるための排出樋１５が設けられている。この排出樋１５は、前記球揚送装置１１側を下流端とする斜状態様で球揚送装置１１の左右両側に設けられている。また、島設備１０の前記球揚送装置１１の下方側には、排出樋１５により転動移送された遊技球を回収するための球回収タンク１９が設けられている。さらに、島設備１０内において、前記排出樋１５の下流端と前記球回収タンク１９の間には、球回収タンク１９内に異物が入るのを防ぐための異物排出路２０が設けられている。この異物排出路２０の上流端は、排出樋１５の下流端と接続されている一方で、異物排出路２０の下流端は、前記球回収タンク１９と接続されている。この異物排出路２０は、前記球回収タンク１９側を下流端とする斜状態様で球回収タンク１９の左右両側に設けられている。
【００１５】
そして、パチンコ遊技機Ｐから排出された遊技球は、排出樋１５及び異物排出路２０を通過して球回収タンク１９内へと放出される。このとき、遊技者の悪戯などにより、前記球貸機Ｎとパチンコ遊技機Ｐの間から、該パチンコ遊技機Ｐの機裏側へ転落し排出樋１５内に入った硬貨や、パチンコ遊技機Ｐから外れて排出樋１５内に入ったビス、さらには、遊技球Ｂに付着した細塵等の異物は、異物排出路２０を流下する間に該異物排出路２０の外側へ排出される。そして、球回収タンク１９内に放出された遊技球Ｂは、球揚送装置１１内に取り込まれて島タンク１２へ揚送される。さらに、島タンク１２へ揚送された遊技球は、各球供給樋１４から複数の球分配シュート（図示略）を介して各パチンコ遊技機Ｐへ分配供給される。
【００１６】
次に、前記異物排出路２０について具体的に説明する。なお、図２及び図３の矢印Ｒに示すように、異物排出路２０の上流側から下流側へと遊技球Ｂが流下する方向を遊技球Ｂの流下方向とする。さて、図２及び図３に示すように、異物排出路２０は、大別すると、その外郭を形成する排出路本体３０と、該排出路本体３０の上方全体を覆蓋するカバー部材Ｃとから構成されている。最初に、排出路本体３０について説明する。図２に示すように、排出路本体３０は外郭が長尺状をなし、排出路本体３０の底部をなす本体底部３６の両側に側壁３２が立設されて形成されている。前記側壁３２は、その上方側が排出路本体３０の内側へ延びるように略直角に折り曲げられ、その折り曲げ部位に前記カバー部材Ｃをビス止めするための複数のビス孔３２ａが穿設されている。
【００１７】
この構成により異物排出路２０は、島設備１０に設置した状態において、排出樋１５を転動案内された遊技球Ｂを受け入れ、該遊技球Ｂを球回収タンク１９側に転動案内する通路構成を取り得る。なお、異物排出路２０によって形成される通路は、機能毎に分けると２種類の通路に分けられることから、説明をわかり易くするために２種類の通路を「転動路」と「整流路」とし、図２及び図３においては「転動路」に「３３」の符号を付すとともに「整流路」に「３４」の符号を付す。転動路３３は、異物排出路２０の上流側（排出樋１５側）の通路であり、排出樋１５で転動案内された遊技球Ｂを受け入れ、該遊技球Ｂを整流路３４側に流下方向に沿って転動案内する。一方、整流路３４は、転動路３３に連設され、異物排出路２０の下流側（球回収タンク１９側）の通路であり、転動路３３を乱雑（雑然）状態で転動案内された遊技球Ｂを整流（整列）し、該遊技球Ｂを球回収タンク１９側に整列状態で流下方向に沿って転動案内する。本実施形態の異物排出路２０では、整流路３４の通過時に異物が排出される。
【００１８】
前記本体底部３６は、転動路３３の底部と整流路３４の底部とから構成されている。前記転動路３３の底部は、側壁３２間に架設された平板状の底板３１によって形成され、該底板３１上にはマットＭが敷設されている。一方、前記整流路３４の底部は、側壁３２間に架設された一対の支持部材３５上に底形成部材３９とマットＭを流下方向に沿って並べて敷設することにより形成されている。一対の支持部材３５のうち、一方の支持部材３５は、前記底板３１の下流側直近に設けられ、他方の支持部材３５は異物排出路２０の下流端側に設けられている。このように支持部材３５を整流路３４の両端側のみに設けることにより、整流路３４における前記底形成部材３９の配設部位（異物排出路２０の下面部位）は、開口した状態とされている。
【００１９】
前記底形成部材３９は、図４に示すように、複数の長板状の橋路３７と、それら橋路３７の両側に溶接固定された一対の長板状の位置決め部材３８と、複数の橋路３７の中央に溶接固定された長板状の補強板２９とから簀子状に形成されている。前記一対の位置決め部材３８には、隣り合う前記橋路３７の間に凹部３８ｂが形成されている（本実施形態では七つ）。また、各位置決め部材３８の両側及び中央には、底形成部材３９を前記支持部材３５にねじ止めするためのねじ止め孔３８ｄが穿設されている。
【００２０】
そして、底形成部材３９には、隣り合う橋路３７の間に間隙Ｋが形成されている。なお、前記間隙Ｋの幅は遊技球Ｂの直径より広く、かつ、一個の遊技球Ｂのみが通過可能な幅に設定されている。そして、底形成部材３９に複数（本実施形態では七つ）の間隙Ｋが形成され、排出路本体３０の底形成部材３９の配設部位は開口した状態とされている。このため、異物排出路２０の本体底部３６において、整流路３４の略全体は橋路３７を除いて上下方向へ貫通することとなり、異物はこの整流路３４の通過時に異物排出路２０外へ排出される。
【００２１】
次に、前記カバー部材Ｃについて説明する。なお、図２ではカバー部材Ｃのうちの第１の蓋部材４０は図示せず、図３では２点鎖線で第１の蓋部材４０を示す。図２及び図３に示すように、カバー部材Ｃは、第１の蓋部材４０と、第２の蓋部材４１と、第３の蓋部材５１とから構成されている。
【００２２】
前記第１の蓋部材４０は、異物排出路２０の転動路３３を覆蓋するものであり、第２の蓋部材４１と第３の蓋部材５１は異物排出路２０の整流路３４を覆蓋するものである。前記第１の蓋部材４０は、平板状に形成されている。前記第２の蓋部材４１は、その全体が、例えば、ナイロン、ポリカーボネート、ポリアセタール等の自己潤滑性を有する合成樹脂材料より形成されている。そして、図５に示すように、第２の蓋部材４１は、蓋板４２と、該蓋板４２の下面に一体成形された四枚の長板状の第１整流壁４３、及び三枚の長板状の第２整流壁４４とから構成されている。すなわち、第２の蓋部材４１には、第１整流壁４３と第２整流壁４４の形状の異なる２種類の整流壁が設けられている。前記第１整流壁４３と第２整流壁４４は、第１整流壁４３が蓋板４２の両側に位置し、さらに、第１整流壁４３と第２整流壁４４とが交互に並ぶように蓋板４２に設けられている。隣り合う第１整流壁４３と第２整流壁４４の間隔は全て同じであり、該間隔は遊技球Ｂの直径より広く、遊技球Ｂが１列状態で通過し得る間隔に設定されている。
【００２３】
図５及び図６（ｂ）、（ｃ）に示すように、第１整流壁４３の縁部には、蓋板４２の下面から真下へ鉛直に延びる第１球崩し部４３ａが形成されている。さらに、第１整流壁４３の縁部には、前記第１球崩し部４３ａの下端から連続して直線状に下り傾斜した第１傾斜部４３ｂが形成されている。一方、第２整流壁４４の縁部には、蓋板４２の下面から真下へ鉛直に延びる第２球崩し部４４ａが形成されている。さらに、第２整流壁４４の縁部には、前記第２球崩し部４４ａの下端から連続して直線状に下り傾斜した第２傾斜部４４ｂが形成されている。加えて、第２整流壁４４の縁部には、前記第２傾斜部４４ｂに連続して水平状に延びる水平部４４ｃが形成され、さらに、その水平部４４ｃから連続して直線状に下り傾斜した位置に第２傾斜部４４ｂが形成されている。すなわち、第２整流壁４４には、水平部４４ｃの上下両側に第２傾斜部４４ｂが形成され、各第２傾斜部４４ｂの長さは、第１傾斜部４３ｂの長さより短くなっている。
【００２４】
図６（ｃ）に示すように、第１整流壁４３と第２整流壁４４とは、第１球崩し部４３ａと第２球崩し部４４ａとが前後に位置ずれするように蓋板４２に並設されている。また、第１球崩し部４３ａと第２球崩し部４４ａとは、鉛直方向への長さが異なるように形成され、第１球崩し部４３ａの鉛直方向への長さが、第２球崩し部４４ａの鉛直方向への長さよりも長く形成されている。
【００２５】
さらに、第１整流壁４３と第２整流壁４４とは、第１傾斜部４３ｂと、第２傾斜部４４ｂの傾斜角度が互いに異なるように形成されている。ここで、図６（ｃ）において、第１整流壁４３及び第２整流壁４４の下端縁に沿って延びる直線を仮想線Ｊとする。そして、前記仮想線Ｊと第１傾斜部４３ｂの延長線との間に形成される角度を第１傾斜部４３ｂの傾斜角度θ１とし、仮想線Ｊと第２傾斜部４４ｂの延長線との間に形成される角度をそれぞれ第２傾斜部４４ｂの傾斜角度θ２とする。傾斜角度θ１と傾斜角度θ２は異なっており、この傾斜角度θ１，θ２の違いから、第１及び第２整流壁４３，４４の並設方向に沿って第１傾斜部４３ｂと第２傾斜部４４ｂとには高低差が形成されている。詳しくは、第１傾斜部４３ｂの先端側と第２傾斜部４４ｂの先端側の高低差は、第１及び第２傾斜部４３ｂ，４４ｂが、それら先端側よりも蓋板４２側に位置する水平部４４ｃへ向かうに従い徐々に小さくなっている。そして、両者の高低差が無くなる位置も存在している。さらに、第２整流壁４４の水平部４４ｃよりも蓋板４２側、すなわち、第１傾斜部４３ｂの基端側と第２傾斜部４４ｂの基端側の高低差は、前記先端側における高低差よりも大きくなっている。なお、第２整流壁４４の上下両第２傾斜部４４ｂの間には水平部４４ｃが形成されているため、第１傾斜部４３ｂと水平部４４ｃとにも高低差が形成されている。
【００２６】
図６（ｂ）の７ｂ−７ｂ線断面図（図７（ｂ））に示すように、第１及び第２球崩し部４３ａ，４４ａは、第１及び第２整流壁４３，４４の長さ方向の断面視が先細形状に形成されている。ここで、第１及び第２整流壁４３，４４の厚み方向に対向する一対の壁面を、一方の壁面としての右壁面４３Ａ，４４Ａと、他方の壁面としての左壁面４３Ｂ，４４Ｂとする。第１及び第２球崩し部４３ａ，４４ａは、各球崩し部４３ａ，４４ａの先端から基端側に向かうに従い、前記右壁面４３Ａ，４４Ａ側から左壁面４３Ｂ，４４Ｂ側へ徐々に拡幅するように傾斜形成されている。そして、第１及び第２球崩し部４３ａ，４４ａにおける傾斜した部位に案内面Ａが形成されている。すなわち、案内面Ａは、第１及び第２整流壁４３，４４の厚み方向に向かって傾斜して形成されている。
【００２７】
ここで、第１及び第２整流壁４３，４４をその厚み方向へ二等分する直線を二等分線Ｑとする。すると、前記案内面Ａは、前記二等分線Ｑよりも右壁面４３Ａ，４４Ａ寄りの位置から左壁面４３Ｂ，４４Ｂ側へ拡幅するように傾斜している。すなわち、案内面Ａは、第１及び第２球崩し部４３ａ，４４ａ（第１及び第２整流壁４３，４４）の厚みの半分以上を有している。また、案内面Ａ上を通る平面を仮想平面Ｕとし、前記右壁面４３Ａ，４４Ａを通る平面を仮想平面ＵＡとした場合、仮想平面ＵＡと仮想平面Ｕの間に形成される角度のうち鋭角となる角度を角度θＡとする。すると、案内面Ａと右壁面４３Ａ，４４Ａは、前記角度θＡを形成するように仮想平面Ｕ及び仮想平面ＵＡに沿って形成されているため、案内面Ａは右壁面４３Ａ，４４Ａに対して鋭角をなすように第１及び第２球崩し部４３ａ，４４ａに形成されている。そして、全ての第１及び第２整流壁４３，４４において、案内面Ａは同一方向へ同じ角度で傾斜している。
【００２８】
一方、第１及び第２傾斜部４３ｂ，４４ｂは、図６（ｃ）の７ａ−７ａ線断面図（図７（ａ））に示すように、第１及び第２整流壁４３，４４の長さ方向に直交する断面視が先細形状に形成されている。第１及び第２傾斜部４３ｂ，４４ｂは、その上縁から下方へ向かうに従い前記右壁面４３Ａ，４４Ａ側から左壁面４３Ｂ，４４Ｂ側へ下り傾斜するように形成されている。そして、全ての第１及び第２傾斜部４３ｂ，４４ｂの上縁における傾斜した部位にガイド面Ｇが形成されている。すなわち、ガイド面Ｇは、各傾斜部４３ｂ，４４ｂの上縁から下方へ向かうに従い、第１及び第２整流壁４３，４４の厚み方向に向かって下り傾斜して形成されている。
【００２９】
前記ガイド面Ｇは、前記二等分線Ｑよりも右壁面４３Ａ，４４Ａ寄りの位置から左壁面４３Ｂ，４４Ｂへ下り傾斜している。すなわち、ガイド面Ｇは、第１及び第２傾斜部４３ｂ，４４ｂ（第１及び第２整流壁４３，４４）の厚みの半分以上を有している。また、ガイド面Ｇ上を通る平面を仮想平面Ｖとし、前記右壁面４３Ａ，４４Ａを通る平面を仮想平面ＶＡとした場合、仮想平面ＶＡと仮想平面Ｖの間に形成される角度のうち鋭角となる角度を角度θＶとする。すると、ガイド面Ｇと右壁面４３Ａ，４４Ａは、前記角度θＶを形成するように仮想平面Ｖと仮想平面ＶＡに沿って形成されているため、ガイド面Ｇは右壁面４３Ａ，４４Ａに対して鋭角をなすように第１及び第２傾斜部４３ｂ，４４ｂに形成されている。そして、全ての第１及び第２整流壁４３，４４において、全てのガイド面Ｇは同一方向へ同じ角度で傾斜している。なお、前記水平部４４ｃにもその上縁から下方へ向かうに従い前記右壁面４３Ａ，４４Ａ側から左壁面４３Ｂ，４４Ｂ側へ下り傾斜するガイド面Ｇが形成されている。また、図５に示すように、第１及び第２傾斜部４３ｂ，４４ｂには、それぞれ第１及び第２球崩し部４３ａ，４４ａが連設されている。そして、第１及び第２球崩し部４３ａ，４４ａには、案内面Ａがガイド面Ｇに連続して形成されている。
【００３０】
次に、第３の蓋部材５１について説明する。図２及び図３に示すように、第３の蓋部材５１は、その全体が、例えば、ナイロン、ポリカーボネート、ポリアセタール等の自己潤滑性を有する合成樹脂材料より形成されている。そして、図９に示すように、第３の蓋部材５１は、蓋板５２と、該蓋板５２の下面に一体成形された七枚の案内壁５３とから構成されている。隣り合う案内壁５３の間隔は全て同じである。隣り合う案内壁５３の間隔は、前記隣り合う第１整流壁４３と第２整流壁４４の間隔と同じである。また、隣り合う案内壁５３の間隔は遊技球Ｂの直径より広く、１列状態で遊技球Ｂが通過し得る間隔に設定されている。
【００３１】
そして、上記構成の排出路本体３０とカバー部材Ｃとから異物排出路２０を形成するには、まず、図３に示すように、前記底板３１上にマットＭを敷設し、該マットＭを底板３１に固定する。続けて、一対の支持部材３５上に底形成部材３９の両位置決め部材３８を支持させ、ねじ止め孔３８ｄによって各位置決め部材３８を支持部材３５にねじ止めする。すると、底形成部材３９を支持部材３５に組付けるという一作業により、複数の橋路３７及び一対の位置決め部材３８の全てが側壁３２間に組付けられる。続けて、底形成部材３９よりも下流側の他方の支持部材３５上にマットＭを敷設し、該マットＭを支持部材３５に固定する。
【００３２】
その結果、マットＭを備えた転動路３３と、底形成部材３９及びマットＭを備えた整流路３４が形成されるとともに、転動路３３の底部と整流路３４の底部とから本体底部３６が構成される。この本体底部３６には、位置決め部材３８が備えられることにより、凹部３８ｂが複数箇所に設けられている。そして、本体底部３６と該本体底部３６から立設された側壁３２とから排出路本体３０が構成される。なお、転動路３３のマットＭの上面は、各橋路３７上端よりも上側に位置し、各橋路３７上端は、整流路３４のマットＭの上面より上側に位置している。そして、排出路本体３０内は、上流側から下流側に向かうに従い高低差が形成されている。すなわち、転動路３３のマットＭの上面と各橋路３７の上端との高低差、又は各橋路３７の上端と整流路３４のマットＭの上面との高低差が逆転してしまうことが無いように各部材の高さが設定されている。その結果、転動路３３のマットＭ、橋路３７、又は整流路３４のマットＭの製造誤差や、組付け誤差等により高低差が逆転して遊技球Ｂの球詰まり等が発生することが防止される。
【００３３】
続けて、第１の蓋部材４０、第２の蓋部材４１、及び第３の蓋部材５１を、それぞれ側壁３２上方の折り曲げ部位に載せる。なお、第２の蓋部材４１を排出路本体３０に組付けるとき、第１及び第２傾斜部４３ｂ，４４ｂが位置決め部材３８の凹部３８ｂに挿入されるようにする。その後、ビス６０を、第１の蓋部材４０、第２の蓋部材４１、及び第３の蓋部材５１を貫通させてビス孔３２ａに固定する。すると、排出路本体３０の上方全てが、第１の蓋部材４０、第２の蓋部材４１、及び第３の蓋部材５１によって覆蓋される。その結果、カバー部材Ｃが排出路本体３０に組付けられ、排出路本体３０とカバー部材Ｃとからなる異物排出路２０が構成される。
【００３４】
上記のように構成された異物排出路２０において、図２に示すように、排出路本体３０内には、第１及び第２整流壁４３，４４の流下方向下流側にそれぞれ案内壁５３が連設されている。また、第１及び第２整流壁４３，４４の第１及び第２傾斜部４３ｂ，４４ｂの自由端の一部は、それぞれ位置決め部材３８の凹部３８ｂに挿入され、第１及び第２整流壁４３，４４は横方向への移動が規制されている。さらに、第１及び第２整流壁４３，４４において、第１及び第２傾斜部４３ｂ，４４ｂの自由端の一部は間隙Ｋの内側に入り込み、間隙Ｋの内側に入り込んでいない残りの自由端は間隙Ｋよりも上方に位置している。また、案内壁５３はその自由端の全てが、間隙Ｋよりも上方に位置している。
【００３５】
そして、排出路本体３０の内側には、仕切壁としての複数の第１及び第２整流壁４３，４４と、仕切壁としての複数の案内壁５３が並設され、第１及び第２整流壁４３，４４と案内壁５３によって排出路本体３０内が区切られている。詳しくは、排出路本体３０の内側は、第１整流壁４３とその下流側の案内壁５３、及び第２整流壁４４とその下流側の案内壁５３によって複数の区画に仕切られている。そして、排出路本体３０の内側には一つの橋路３７を底面とし、第１整流壁４３とその下流側の案内壁５３、及び第２整流壁４４とその下流側の案内壁５３を、橋路３７両側の壁とする球通路５６が複数（本実施形態では六列）並設されている。すなわち、排出路本体３０内には、隣り合う第１整流壁４３と第２整流壁４４の間、及び隣り合う案内壁５３の間に橋路３７が位置している。各球通路５６は、互いに間隙Ｋをおいて並設された複数の橋路３７と、一定間隔をおいて並設された第１及び第２整流壁４３，４４と、案内壁５３とを、交互に位置するように組み合わせることによって形成されている。
【００３６】
そして、整流路３４の上流端となる位置には、遊技球Ｂの流下方向上流側に開口する球通路５６の遊技球導入口５６ａが形成されている。第１及び第２整流壁４３，４４において、前記遊技球導入口５６ａ側には第１及び第２傾斜部４３ｂ，４４ｂが設けられている。また、第１及び第２傾斜部４３ｂ，４４ｂは遊技球Ｂの流下方向に沿って底部としての本体底部３６側から上り傾斜している。
【００３７】
また、図８に示すように、第１及び第２傾斜部４３ｂ，４４ｂ上縁の各ガイド面Ｇは、第１及び第２整流壁４３，４４の厚み方向に向かって下り傾斜して形成されている。詳しくは、各ガイド面Ｇは、各第１及び第２傾斜部４３ｂ，４４ｂに隣り合う両側の橋路３７のうち一方（図８では左方）の橋路３７に向かって下り傾斜するように形成されている。すなわち、第１及び第２傾斜部４３ｂ，４４ｂは、その左壁面４３Ｂ，４４Ｂに隣り合う橋路３７に向かうように、第１及び第２傾斜部４３ｂ，４４ｂの上端縁から下り傾斜している。
【００３８】
さらに、図２に示すように、第１及び第２球崩し部４３ａ，４４ａは、第１及び第２傾斜部４３ｂ，４４ｂの流下方向下流側に連設されている。また、第１及び第２球崩し部４３ａ，４４ａは、底部としての本体底部３６に対して鉛直をなすように立ち上がっている。そして、第１球崩し部４３ａと、第２球崩し部４４ａとは、流下方向に沿って前後交互に位置ずれしている。すなわち、第１球崩し部４３ａは、第２球崩し部４４ａよりも流下方向前側に位置している。また、図８に示すように、第１及び第２球崩し部４３ａ，４４ａの各案内面Ａは、第１及び第２整流壁４３，４４の厚み方向に向かって傾斜して形成されている。詳しくは、各案内面Ａは、各第１及び第２球崩し部４３ａ，４４ａに隣り合う両側の球通路５６のうち一方（図８では左方）の球通路５６に向かって拡幅するように傾斜形成されている。すなわち、第１及び第２球崩し部４３ａ，４４ａは、その左壁面４３Ｂ，４４Ｂが球通路５６内に面し、かつ、前記一方（図８では左方）の橋路３７が底面をなす球通路５６中央に向かうように傾斜している。
【００３９】
各球通路５６は、複数の遊技球Ｂが前記流下方向に一列に整列された状態で流下することが可能に形成されている。また、図９に示すように、各球通路５６において、各橋路３７と、該橋路３７の側方に位置する第１整流壁４３、第２整流壁４４、及び案内壁５３との間には、それぞれ空隙Ｔが形成されている。さらに、各球通路５６の通路幅は、遊技球Ｂが球通路５６を形成する隣り合う第１整流壁４３と第２整流壁４４、又は隣り合う案内壁５３のうち、いずれか一方の壁面に摺接しながら橋路３７上を流下する場合に、他方の壁面と遊技球Ｂとの間に遊間Ｙが形成されるように設定されている。
【００４０】
一方、上記構成の異物排出路２０において、ビス６０を全ての蓋部材４０，４１，５１から取外し、全ての蓋部材４０，４１，５１を排出路本体３０から組外すことにより、カバー部材Ｃを排出路本体３０から組外すことができる。すなわち、全ての蓋部材４０，４１，５１は、排出路本体３０に対し着脱可能に形成されているため、カバー部材Ｃは排出路本体３０に対し着脱可能に形成されている。さらに、各支持部材３５に対するねじ止めを解除することにより、底形成部材３９を支持部材３５から組外すことができる。そして、底形成部材３９を組外す方向は、全ての蓋部材４０，４１，５１を排出路本体３０から組外す方向と同じになっている。
【００４１】
さて、上記構成の異物排出路２０が島設備１０内に設けられていると、排出樋１５から流下してきた多量の遊技球Ｂは異物排出路２０内に入り込む。そして、多量の遊技球Ｂは転動路３３のマットＭ上を転動流下した後、整流路３４へ転動移送され、該整流路３４にて第１及び第２傾斜部４３ｂ，４４ｂに接触する。すると、多量の遊技球Ｂは、第１及び第２傾斜部４３ｂ，４４ｂにより分流、整流され、球通路５６の遊技球導入口５６ａからその内側へ導入される。このとき、第１及び第２整流壁４３，４４は自己潤滑性を有するため、遊技球Ｂは第１及び第２整流壁４３，４４の外面を滑転していく。また、遊技球Ｂが第１及び第２整流壁４３，４４に接触する際に生じる応力は、第１及び第２整流壁４３，４４の基端から蓋板４２に受承されるとともに、自由端側の位置決め部材３８によって受承される。
【００４２】
また、遊技球Ｂが多段になって流下して来た場合、上段の遊技球Ｂは、第１及び第２傾斜部４３ｂ，４４ｂを上っていく。すると、図８に示すように、遊技球Ｂのほとんどは、各ガイド面Ｇによって、第１及び第２傾斜部４３ｂ，４４ｂ（第１及び第２整流壁４３，４４）に隣り合う両側の橋路３７のうちの左方の橋路３７に向かって傾くようにガイドされる。すなわち、遊技球Ｂのほとんどは、第１及び第２整流壁４３，４４の左壁面４３Ｂ，４４Ｂに隣り合う橋路３７側へ傾くようにガイドされる。その結果、第１及び第２傾斜部４３ｂ，４４ｂに乗り上げてきた遊技球Ｂは、その第１及び第２傾斜部４３ｂ，４４ｂの両側に位置する球通路５６のうち、左壁面４３Ｂ，４４Ｂが球通路５６内に面する球通路５６に向かって落下する。すなわち、第１及び第２傾斜部４３ｂ，４４ｂに乗り上げてきたほとんどの遊技球Ｂは、ガイド面Ｇによって同一方向へ落下するようにガイドされる。
【００４３】
さらに、第１及び第２傾斜部４３ｂ，４４ｂを上り切りった遊技球Ｂは、第１及び第２球崩し部４３ａ，４４ａに接触する。このとき、図６（ｃ）に示すように、隣り合う第１球崩し部４３ａと第２球崩し部４４ａは、前記流下方向に沿って前後に位置ずれしている。このため、両球崩し部４３ａ，４４ａに遊技球Ｂが同時に接触した場合には、両遊技球Ｂが落下する位置を、前記流下方向に沿った前後に位置ずれさせることができる。
【００４４】
また、第１及び第２球崩し部４３ａ，４４ａに接触した遊技球Ｂは、案内面Ａによって第１及び第２整流壁４３，４４に隣り合う球通路５６のうちの左方の球通路５６に向かって傾くようにガイドされる。すなわち、遊技球Ｂのほとんどは、左壁面４３Ｂ，４４Ｂが球通路５６内に面し、かつ、左方の橋路３７が底面をなす球通路５６に向かうようにガイドされ、そのまま該球通路５６に向かって落下する。その結果、第１及び第２整流壁４３，４４を上る遊技球Ｂは、それぞれガイド面Ｇ及び案内面Ａによって、左壁面４３Ｂ，４４Ｂが球通路５６内に面する球通路５６に向かって落下するようにガイドされる。すなわち、第１及び第２球崩し部４３ａ，４４ａに接触したほとんどの遊技球Ｂは、案内面Ａによって同一方向へ落下するようにガイドされる。
【００４５】
なお、遊技球Ｂのうち、ガイド面Ｇにより、所望する方向、本実施形態では左壁面４３Ｂ，４４Ｂが球通路５６内に面する球通路５６へ落下するようにガイドされない遊技球Ｂも存在する。この場合、図６（ｃ）に示すように、隣り合う第１傾斜部４３ｂと第２傾斜部４４ｂとは、互いに傾斜角度θ１，θ２が異なり、第１及び第２整流壁４３，４４の並設方向においては高低差が形成された箇所が存在している。この高低差は、第１及び第２整流壁４３，４４において、第２整流壁４４の水平部４４ｃよりも基端側が先端側よりも大きくなっている。そして、この第１傾斜部４３ｂと第２傾斜部４４ｂとの高低差により、第１傾斜部４３ｂからの遊技球Ｂの落下高さと、第２傾斜部４４ｂからの遊技球Ｂの落下高さとが異なるようになる。したがって、万一、一つの球通路５６に対し、その両側の第１及び第２傾斜部４３ｂ，４４ｂから遊技球Ｂが落下したとしても、両遊技球Ｂが球通路５６に向かって落下する高さが同じになりにくくなる。
【００４６】
さらに、遊技球Ｂのうち、案内面Ａにより、所望する方向、本実施形態では左壁面４３Ｂ，４４Ｂが球通路５６内に面する球通路５６へ落下するようにガイドされない遊技球Ｂも存在する。この場合、隣り合う第１球崩し部４３ａと第２球崩し部４４ａとは、流下方向に沿って前後に位置ずれしている。このため、万一、一つの球通路５６に対しその両側の第１及び第２球崩し部４３ａ，４４ａから遊技球Ｂが落下しても、両遊技球Ｂが落下する位置を、前記流下方向に沿って前後に位置ずれさせることができる。
【００４７】
そして、図９に示すように、球通路５６内へ導入された遊技球Ｂは、案内壁５３によって整列状態が維持されたまま流下方向下流側へ案内される。各球通路５６内において、遊技球Ｂは、橋路３７の両側の右壁面４３Ａ，４４Ａ、左壁面４３Ｂ，４４Ｂ、及び案内壁５３の壁面に摺接しながら橋路３７上を転動する。このため、遊技球Ｂに付着した細塵は、各壁面との摺接により遊技球Ｂから剥がれ落ちる。そして、その細塵は、空隙Ｔを通過して間隙Ｋから異物排出路２０外へ排出される。その後、遊技球Ｂは、整流路３４のマットＭ上を転動した後、球回収タンク１９内に回収される。
【００４８】
また、第１整流壁４３、第２整流壁４４、及び案内壁５３には多量の遊技球Ｂが絶え間なく接触、摺接している。このため、第１整流壁４３、第２整流壁４４、及び案内壁５３が、その外面を遊技球Ｂが滑転可能に形成され、発生する応力を各蓋部材４１，５１にて受承可能に形成されていても、第１整流壁４３、第２整流壁４４、及び案内壁５３はその耐用年数の超過等により交換の必要性が生じてくる。ここで、第１及び第２整流壁４３，４４は第２の蓋部材４１に一体成形され、案内壁５３は第３の蓋部材５１に一体成形されている。そして、第２の蓋部材４１及び第３の蓋部材５１は側壁３２に対してビス６０で固定して排出路本体３０に組付けられている。
【００４９】
また、第１整流壁４３、第２整流壁４３、及び案内壁５３は、それぞれ排出路本体３０の本体底部３６に対してビス止め等により固定されておらず、側壁３２に対しても組付けられていない。このため、ビス６０をビス孔３２ａから取外し、第２の蓋部材４１と第３の蓋部材５１を上方へ組外すだけで、第１及び第２整流壁４３，４４と案内壁５３を排出路本体３０から組外すことができる。しかも、第１及び第２整流壁４３，４４は全て第２の蓋部材４１に一体成形され、案内壁５３は全て第３の蓋部材５１に一体成形されている。このため、第２の蓋部材４１と第３の蓋部材５１を、排出路本体３０から組外す一作業のみで第１及び第２整流壁４３，４４と案内壁５３の全てを排出路本体３０から組外すことができる。
【００５０】
そして、新たに別の第２の蓋部材４１と、別の第３の蓋部材５１を排出路本体３０に組付け、各蓋部材４１，５１をビス６０で側壁３２にビス止めするだけで、排出路本体３０内に新しい第１及び第２整流壁４３，４４と新しい案内壁５３を設けることができる。すなわち、排出路本体３０に対して第２の蓋部材４１と第３の蓋部材５１を着脱することにより、排出路本体３０に第１及び第２整流壁４３，４４と案内壁５３を着脱することができるとともに、異物排出路２０を組み立てることができる。
【００５１】
また、カバー部材Ｃは、３つの蓋部材４０，４１，５１に分割可能であり、第１及び第２整流壁４３，４４と案内壁５３に分割可能である。したがって、第２の蓋部材４１のみを排出路本体３０から組外すことにより、第１及び第２整流壁４３，４４のみを排出路本体３０から組外すことができる。一方、第３の蓋部材５１を排出路本体３０から組外すことで、案内壁５３のみを排出路本体３０から組外すことも当然可能となる。そして、新たに別の第２の蓋部材４１又は第３の蓋部材５１を排出路本体３０に組付け、ビス６０で側壁３２にビス止めするだけで、排出路本体３０内に新しい第１及び第２整流壁４３，４４又は案内壁５３を設けることができる。
【００５２】
なお、パチンコ遊技機Ｐの機裏側へ転落し排出樋１５から異物排出路２０内へ入り込んだ硬貨は、その態様がほぼ水平状態のまま第１及び第２傾斜部４３ｂ，４４ｂに乗り上げた場合、該硬貨は第１及び第２球崩し部４３ａ，４４ａに係止した後、第１及び第２傾斜部４３ｂ，４４ｂの高低差によって傾き球通路５６内へ落下する。そして、硬貨は、遊技球Ｂと、第１整流壁４３又は第２整流壁４４との間に形成された遊間Ｙ及び空隙Ｔを介して、間隙Ｋから異物排出路２０外へ排出される。一方、硬貨の態様がほぼ起立状態の場合は、硬貨はそのまま遊技球Ｂと、第１整流壁４３又は第２整流壁４４との間に形成された遊間Ｙ及び空隙Ｔを介して、間隙Ｋから異物排出路２０外へ排出される。
【００５３】
上記実施形態の異物排出路２０によれば、以下のような効果を得ることができる。
（１）第１及び第２傾斜部４３ｂ，４４ｂの上縁には、第１及び第２整流壁４３，４４の厚み方向に向かって同一方向へ下り傾斜したガイド面Ｇが形成されている。このため、第１及び第２傾斜部４３ｂ，４４ｂを乗り上げてきた遊技球Ｂは、ガイド面Ｇによって同一方向へ向かって下り転動するようにガイドされる。すなわち、第１及び第２傾斜部４３ｂ，４４ｂに乗り上げてきたほとんどの遊技球Ｂは、該第１及び第２傾斜部４３ｂ，４４ｂに隣り合う橋路３７のうち一方（左方）の橋路３７が底面をなす球通路５６内へと落下する。したがって、各球通路５６には、該球通路５６を形成する第１整流壁４３（仕切壁）と第２整流壁４４（仕切壁）の両方から遊技球Ｂが落下してくることが抑制される。その結果として、球通路５６へと落下してきた遊技球Ｂ同士の接触機会や、橋路３７上を流下する遊技球Ｂと落下してきた遊技球Ｂとの接触回数を減らすことができ、球通路５６の遊技球Ｂの移送性低下を防止することができる。
【００５４】
（２）ガイド面Ｇは、第１及び第２整流壁（仕切壁）４３，４４の厚みの半分以上を有している。したがって、第１及び第２傾斜部４３ｂ，４４ｂに乗り上げてきた遊技球Ｂを同一方向へ下り転動させるというガイド面Ｇの機能を発揮させやすくすることができる。
【００５５】
（３）第１及び第２傾斜部４３ｂ，４４ｂの流下方向下流側には、第１及び第２球崩し部４３ａ，４４ａが連設され、該第１及び第２球崩し部４３ａ，４４ａにはガイド面Ｇに連続させて案内面Ａが形成されている。そして、案内面Ａは、ガイド面Ｇと同様に、第１及び第２整流壁４３，４４の厚み方向に向かって同一方向へ傾斜するように形成されている。このため、第１及び第２球崩し部４３ａ，４４ａに接触した遊技球Ｂは、案内面Ａによって同一方向へ向かって転動するようにガイドされる。すなわち、第１及び第２球崩し部４３ａ，４４ａに接触したほとんどの遊技球Ｂは、第１及び第２球崩し部４３ａ，４４ａに隣り合う球通路５６のうち一方（左方）の球通路５６へ向かって転動する。したがって、各球通路５６には、該球通路５６を形成する第１整流壁４３（仕切壁）と第２整流壁４４（仕切壁）の両方から遊技球Ｂが落下してくることが抑制される。その結果として、球通路５６へと落下してきた遊技球Ｂ同士の接触機会や、橋路３７上を流下する遊技球Ｂと落下してきた遊技球Ｂとの接触回数を減らすことができ、球通路５６の遊技球Ｂの移送性低下を防止することができる。
【００５６】
（４）案内面Ａはガイド面Ｇに連設されている。このため、ガイド面Ｇが下り傾斜する方向へガイド仕切れなかった遊技球Ｂを、案内面Ａによって再度ガイドすることができる。したがって、案内面Ａとガイド面Ｇの協働により、隣り合う第１及び第２整流壁（仕切壁）４３，４４からその間の球通路５６に向かって遊技球Ｂが落下することを抑制することができる。
【００５７】
（５）複数の第１及び第２整流壁（仕切壁）４３，４４が並設された状態で、隣り合う第１球崩し部４３ａと第２球崩し部４４ａは遊技球Ｂの流下方向に沿って位置ずれして配置されている。このため、第１球崩し部４３ａと第２球崩し部４４ａに接触した両遊技球Ｂの落下位置を流下方向前後に位置ずれさせることができる。したがって、万一、一つの球通路５６へその両側の第１及び第２球崩し部４３ａ，４４ａから遊技球Ｂが落下しても、それら遊技球Ｂが流下方向の同じ位置に集中して落下することを阻止することができる。また、球通路５６へ落下した遊技球Ｂを橋路３７上を流下する遊技球Ｂの間へ一つずつ入り込ませることができ、球通路５６の遊技球Ｂの移送性低下の防止とに寄与することができる。
【００５８】
（６）複数の第１及び第２整流壁（仕切壁）４３，４４が並設された状態で、隣り合う第１傾斜部４３ｂと第２傾斜部４４ｂはその傾斜角度θ１，θ２が異なっており、第１傾斜部４３ｂと第２傾斜部４４ｂとの間には高低差が形成されている。このため、排出路本体３０内には、遊技球Ｂが上りやすい第１傾斜部４３ｂと、遊技球Ｂが上り難い第２傾斜部４４ｂとが存在することになる。すなわち、第１及び第２傾斜部４３ｂ，４４ｂの傾斜角度θ１，θ２が全て同じ場合と異なり、第１及び第２傾斜部４３ｂ，４４ｂの遊技球Ｂが球通路５６に向かって落下する位置（高さ）が全て同じになりにくくなる。したがって、万一、一つの球通路５６へ、その球通路５６両側の第１及び第２傾斜部４３ｂ，４４ｂ上から遊技球Ｂが同時に落下しても、それら遊技球Ｂが落下時に衝突することを回避することができ、橋路３７上を流下する遊技球Ｂの列に時間差をおいて落下させることができる。その結果、球通路５６へ落下した遊技球Ｂを橋路３７上を流下する遊技球Ｂの間へ一つずつ入り込ませることができ、球通路５６の遊技球Ｂの移送性低下の防止に寄与することができる。
【００５９】
（７）第１傾斜部４３ｂの傾斜角度θ１と、第２傾斜部４４ｂの傾斜角度θ２の２種類の傾斜角度が設定されている。このため、第１傾斜部４３ｂと第２傾斜部４４ｂが交互となるように第１整流壁４３と第２整流壁４４を配置することにより、隣り合う第１傾斜部４３ｂと第２傾斜部４４ｂの傾斜角度を異ならせることができる。したがって、傾斜部の傾斜角度が異なる３種類以上の整流壁を形成しなくても、隣り合う傾斜部の傾斜角度を異ならせることができ、整流壁の製造及び配置を容易とすることができる。
【００６０】
（８）第２の蓋部材４１の蓋板４２には、ガイド面Ｇ及び案内面Ａを備えた第１及び第２整流壁４３，４４が一体成形されている。このため、第２の蓋部材４１を排出路本体３０に組付けるだけで、ガイド面Ｇ及び案内面Ａを備えた第１及び第２整流壁４３，４４を排出路本体３０内に設けることができ、異物排出路２０を容易に形成することができる。
【００６１】
なお、上記実施形態は以下のように変更してもよい。
・  実施形態において、整流壁を３種類以上設け、傾斜角度の異なる３種類以上の傾斜部を設けてもよい。このとき、隣り合う傾斜部の傾斜角度が異なるように整流壁を配置することが好ましい。
【００６２】
・  実施形態において、位置決め部材３８における凹部３８ｂを削除して、第１及び第２傾斜部４３ｂ，４４ｂの自由端を位置決めしなくてもよい。
・  実施形態において、底形成部材３９の位置決め部材３８以外となるマットＭに第１及び第２傾斜部４３ｂ，４４ｂの自由端を挿抜可能とする凹部を形成してもよい。
【００６３】
・  実施形態において、両整流壁４３，４４及び案内壁５３のうち少なくともいずれか一方を底形成部材３９（本体底部３６）に一体成形してもよい。
・  実施形態では、第２の蓋部材４１に第１及び第２整流壁４３，４４を一体成形し、第３の蓋部材５１に案内壁５３を一体成形したが以下のように変更してもよい。すなわち、第２の蓋部材４１を、蓋板４２に別体の整流壁４３，４４を組付ける構成とし、第３の蓋部材５１を、蓋板５２に別体の案内壁５３を組付ける構成として、蓋板４２，５２の排出路本体３０に対する着脱と同時に、別体の第１及び第２整流壁４３，４４と案内壁５３を排出路本体３０に対し着脱可能な構成としてもよい。
【００６４】
・  実施形態において、第２の蓋部材４１と第３の蓋部材５１を一体化して一つの蓋部材とするとともに、第１及び第２整流壁４３，４４と案内壁５３とを一体化して第１及び第２整流壁４３，４４と案内壁５３とよりなる仕切壁を形成してもよい。
【００６５】
・  実施形態において、第１の蓋部材４０と、第２の蓋部材４１と、第３の蓋部材５１とを一体化してカバー部材Ｃを一部材としてもよい。
・  実施形態において、傾斜角度が同じとなるように第１整流壁４３同士又は第２整流壁４４同士を隣り合うように並設してもよい。
【００６６】
・  実施形態において、第１球崩し部４３ａと第２球崩し部４４ａとが流下方向に沿って前後に位置ずれしていなくてもよい。
・  実施形態において、第１球崩し部４３ａが第２球崩し部４４ａよりも流下方向後側に位置するようにしてもよい。
【００６７】
・  実施形態において、第１球崩し部４３ａを第１傾斜部４３ｂに連設せず、第１傾斜部４３ｂに水平部を連設した後、その水平部に第１球崩し部４３ａを連設し、ガイド面Ｇと案内面Ａとを連設しなくてもよい。
【００６８】
・  実施形態において、第１及び第２球崩し部４３ａ，４４ａに案内面Ａを形成しなくてもよい。
・  実施形態において、ガイド面Ｇを、その一端が二等分線Ｑと一致するように形成して、ガイド面Ｇを、第１及び第２傾斜部４３ｂ，４４ｂにおける厚みの半分を有するように形成してもよい。また、案内面Ａを、その一端が二等分線Ｑと一致するように形成して、案内面Ａを、第１及び第２球崩し部４３ａ，４４ａにおける厚みの半分を有するように形成してもよい。
【００６９】
・  実施形態において、ガイド面Ｇを、第１及び第２傾斜部４３ｂ，４４ｂに隣り合う橋路３７のうち他方（図８では右方）の橋路３７側へ下り傾斜するように、すなわち、左壁面４３Ｂ，４４Ｂ側から右壁面４３Ａ，４４Ａ側へ下り傾斜するように形成してもよい。言い換えれば、全てのガイド面Ｇの下り傾斜する方向を実施形態とは逆にしてもよい。この場合、案内面Ａの拡幅しながら傾斜する方向も実施形態とは逆になる。
【００７０】
・  実施形態において、第１の蓋部材４０、第２の蓋部材４１、及び第３の蓋部材５１を、それぞれ排出路本体３０への組付け状態で排出路本体３０内を透視可能とする透明又は半透明な合成樹脂材料により形成し、カバー部材Ｃ全体を透明又は半透明に形成してもよい。なお、このとき、第１〜第３の蓋部材４０，４１，５１を、ナイロン、ポリカーボネート、ポリアセタール等の自己潤滑性を有する合成樹脂材料で形成することが好ましい。このように構成すると、カバー部材Ｃが排出路本体３０に組付けられたままの状態で、カバー部材Ｃを介して排出路本体３０内を透視することができる。したがって、カバー部材Ｃを排出路本体３０から組外すことなく、橋路３７の汚れや第１及び第２整流壁４３，４４の変形、摩耗等を視認、把握することが可能となる。
【００７１】
・  実施形態では、排出路本体３０内に複数の球通路５６として六列形成したが、球通路５６の数は六列に限定されず、橋路３７の数、第１及び第２整流壁４３，４４の数、及び案内壁５３の数を変更して球通路５６の数を、例えば、四列、五列、八列、九列、十列等に変更してもよい。
【００７２】
・  実施形態では、本体底部３６を転動路３３と整流路３４より構成したが、本体底部３６を整流路３４のみで構成してもよい。
次に、上記実施形態及び別例から把握できる技術的思想について以下に追記する。
【００７３】
（イ）遊技機が設置された島設備内に設けられ、複数の橋路が間隙をおいて並設された底部と該底部に立設された側壁とからなる排出路本体の内側に複数の仕切壁を設け、隣り合う仕切壁の間に前記橋路が位置するとともに仕切壁と橋路の間に空隙が形成されてなる球通路を複数並設し、前記排出路本体内を流下して前記球通路内に入った異物を前記空隙から排出路本体外へ排出させる構成とした異物排出路の前記仕排出路本体の上方を覆蓋する蓋部材であって、該蓋部材の下面に前記複数の仕切壁が一体成形され、前記複数の仕切壁における前記球通路の遊技球導入口側に、前記遊技球の流下方向に沿って前記底部側から上り傾斜する複数の傾斜部を形成し、該各傾斜部の上部に同一方向へ向かって下り傾斜するガイド面を形成した蓋部材。
【００７４】
（ロ）前記複数の仕切壁は、排出路本体の上方を覆蓋する蓋部材の下面に並設され、前記蓋部材の排出路本体に対する着脱とともに前記複数の仕切壁を排出路本体に対し着脱可能である請求項１〜請求項５のうちいずれか一項に記載の異物排出路。
【００７５】
（ハ）前記複数の仕切壁は、前記蓋部材に一体成形されている技術的思想（ロ）に記載の異物排出路。
（ニ）前記仕切壁は、前記傾斜部を備え前記遊技球を前記流下方向に整列させる整流壁と、前記整流壁よりも前記流下方向下流側に位置し前記整流壁によって整列された遊技球を整列状態で前記流下方向下流側へ案内させる案内壁とから構成され、前記整流壁及び案内壁はそれぞれ別の蓋部材の下面に並設されている技術的思想（ロ）又は（ハ）に記載の異物排出路。
【００７６】
（ホ）前記傾斜部の傾斜角度は、２種類設定されている請求項５に記載の異物排出路。
【図面の簡単な説明】
【００７７】
【図１】島設備全体及び島設備内の一部を示す一部切欠正面図。
【図２】第１の蓋部材を削除し第３の蓋部材を一部切欠いた異物排出路を示す斜視図。
【図３】図２の３−３線断面図。
【図４】底形成部材を示す平面図。
【図５】第２の蓋部材を示す斜視図。
【図６】（ａ）は第２の蓋部材の下面図、（ｂ）は第２の蓋部材の正面図、（ｃ）は第２の蓋部材の側面図。
【図７】（ａ）は図６（ｃ）の７ａ−７ａ線断面図、（ｂ）は図６（ｂ）の７ｂ−７ｂ線断面図。
【図８】図２の８−８線における概略断面図。
【図９】図２の９−９線における概略断面図。
【符号の説明】
【００７８】
Ａ…案内面、Ｂ…遊技球、Ｇ…ガイド面、Ｋ…間隙、Ｐ…パチンコ遊技機（遊技機）、Ｔ…空隙、θ１，θ２…傾斜角度、１０…島設備、２０…異物排出路、３０…排出路本体、３２…側壁、３６…本体底部（底部）、３７…橋路、４３…第１整流壁（仕切壁）、４３ａ…第１球崩し部、４３ｂ…第１傾斜部、４４…第２整流壁（仕切壁）、４４ａ…第２球崩し部、４４ｂ…第２傾斜部、５３…案内壁（仕切壁）、５６…球通路、５６ａ…遊技球導入口。
【図１】
2006130069.tif 000003
【図２】
2006130069.tif 000004
【図３】
2006130069.tif 000005
【図４】
2006130069.tif 000006
【図５】
2006130069.tif 000007
【図６】
2006130069.tif 000008
【図７】
2006130069.tif 000009
【図８】
2006130069.tif 000010
【図９】
2006130069.tif 000011
【手続補正書】
【提出日】平成17年7月6日(2005.7.6)
【手続補正１】
【補正対象書類名】特許請求の範囲
【補正対象項目名】全文
【補正方法】変更
【補正の内容】
【特許請求の範囲】
【請求項１】
遊技機が設置された島設備内に設けられ、複数の橋路が間隙をおいて並設された底部と該底部に立設された側壁とからなる排出路本体の内側に複数の仕切壁を設け、隣り合う仕切壁の間に前記橋路が位置するとともに仕切壁と橋路の間に空隙が形成されてなる球通路を複数並設し、前記排出路本体内を流下して前記球通路内に入った異物を前記空隙から排出路本体外へ排出させる構成とした異物排出路であって、
各仕切壁における前記球通路の遊技球導入口側に前記遊技球の流下方向に沿って前記底部側から上り傾斜する傾斜部を形成し、該各傾斜部の上縁に前記仕切壁の厚み方向に向かって同一方向へ下り傾斜するガイド面を形成した異物排出路。
【請求項２】
前記傾斜部は、隣り合う仕切壁において傾斜角度が異なるように形成されている請求項１に記載の異物排出路。
【手続補正２】
【補正対象書類名】明細書
【補正対象項目名】０００８
【補正方法】変更
【補正の内容】
【０００８】
請求項２に記載の発明は、請求項１に記載の異物排出路において、前記傾斜部は、隣り合う仕切壁において傾斜角度が異なるように形成されていることを要旨とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００７３
【補正方法】変更
【補正の内容】
【００７３】
（イ）遊技機が設置された島設備内に設けられ、複数の橋路が間隙をおいて並設された底部と該底部に立設された側壁とからなる排出路本体の内側に複数の仕切壁を設け、隣り合う仕切壁の間に前記橋路が位置するとともに仕切壁と橋路の間に空隙が形成されてなる球通路を複数並設し、前記排出路本体内を流下して前記球通路内に入った異物を前記空隙から排出路本体外へ排出させる構成とした異物排出路の前記排出路本体の上方を覆蓋する蓋部材であって、該蓋部材の下面に前記複数の仕切壁が一体成形され、前記複数の仕切壁における前記球通路の遊技球導入口側に、前記遊技球の流下方向に沿って前記底部側から上り傾斜する複数の傾斜部を形成し、該各傾斜部の上部に同一方向へ向かって下り傾斜するガイド面を形成した蓋部材。
【手続補正７】
【補正対象書類名】明細書
【補正対象項目名】００７４
【補正方法】変更
【補正の内容】
【００７４】
（ロ）前記複数の仕切壁は、排出路本体の上方を覆蓋する蓋部材の下面に並設され、前記蓋部材の排出路本体に対する着脱とともに前記複数の仕切壁を排出路本体に対し着脱可能である請求項１又は請求項２に記載の異物排出路。
【手続補正８】
【補正対象書類名】明細書
【補正対象項目名】００７６
【補正方法】変更
【補正の内容】
【００７６】
（ホ）前記傾斜部の傾斜角度は、２種類設定されている請求項２に記載の異物排出路。
（ヘ）前記ガイド面は、前記仕切壁の厚みにおいて少なくとも半分以上の厚みを有するように形成されている請求項１又は請求項２に記載の異物排出路。
（ト）前記傾斜部には、前記底部に対して鉛直に立ち上がる球崩し部が遊技球の流下方向下流側に連設され、各球崩し部に前記仕切壁の厚み方向に向かって同一方向へ傾斜する案内面を前記ガイド面に連続させて形成した請求項１、請求項２及び技術的思想（ヘ）のうちいずれか一項に記載の異物排出路。
（チ）前記球崩し部は、隣り合う仕切壁において前記流下方向に沿って前後に位置ずれして配置されている技術的思想（ト）に記載の異物排出路。